(57)【要約】【課題】高鮮映（鏡面仕上げ）であって、深み、奥行き、立体感などを有する製品を印刷により表現した印刷物を提供することであり、これにより製品（現物）が量産された段階においては、既に販促物として機能を発揮することができるプロモーションツールとなる印刷物を提供することである。【解決手段】１〜５ｍｍ厚さの透明樹脂板と、該透明樹脂板の一方の面に台紙を設け、前記透明樹脂板側から見るように構成した印刷物であって、前記透明樹脂板の他方の面に印刷面積が５０％以下の線状ないし点状の絵柄からなるシルクスクリーン印刷層を設けたことを特徴とする印刷物。【選択図】        図１
2010023516.tif 000002
【特許請求の範囲】
【請求項１】
１〜５ｍｍ厚さの透明樹脂板と、該透明樹脂板の一方の面に台紙を設け、前記透明樹脂板側から見るように構成した印刷物であって、前記透明樹脂板の他方の面に印刷面積が５０％以下の線状ないし点状の絵柄からなるシルクスクリーン印刷層を設けたことを特徴とする印刷物。
【請求項２】
前記台紙は前記透明樹脂板の前記一方の面と当接する当接面にベタ絵柄層と該ベタ絵柄層上に地紋柄層を設けたことを特徴とする請求項１記載の印刷物。
【請求項３】
前記ベタ絵柄層がオフセット印刷からなり、前記地紋柄層がシルクスクリーン印刷からなることを特徴とする請求項２記載の印刷物。
【請求項４】
前記地紋柄層が光沢を有することを特徴とする請求項３記載の印刷物。
【請求項５】
前記台紙は前記透明樹脂板の前記一方の面と当接する当接面の光沢度が４５％以上であることを特徴とする請求項１〜４のいずれかに記載の印刷物。
【請求項６】
前記透明樹脂板と前記台紙との間に金属光沢を有する蒸着シートを前記透明樹脂板側から金属光沢が見えるように挿設したことを特徴とする請求項１記載の印刷物。
【請求項７】
前記透明樹脂板と前記蒸着シートとの間に、一方の面に透明オフセット印刷層を設けた５０〜２００μｍ厚さの透明シートを前記透明オフセット印刷層が蒸着シート側に位置するように挿設したことを特徴とする請求項６記載の印刷物。
【請求項８】
前記透明シートが８０〜１２０μｍ厚さで、且つヘイズが１０％以下であることを特徴とする請求項７記載の印刷物。
【請求項９】
前記蒸着シートが銀蒸着シートであることを特徴とする請求項６〜７のいずれかに記載の印刷物。
【請求項１０】
前記蒸着シートが複数枚の蒸着シートが積層されたものからなり、前記透明樹脂板側に銀蒸着シートが位置していることを特徴とする請求項９記載の印刷物。
【請求項１１】
前記透明樹脂板のヘイズ（曇り度）が５％以下であることを特徴とする請求項１〜１０のいずれかに記載の印刷物。
【発明の詳細な説明】
【技術分野】
【０００１】
本発明は、高鮮映（鏡面仕上げ）であって、深み、奥行き、立体感などを有するシステムキッチン等のパネルやグリルのトッププレートなどの現物の意匠を的確に表現した印刷物に関し、さらに詳しくは、見本帳に適用することができる印刷物に関するものである。
【背景技術】
【０００２】
近年、住宅住設業界では、システムキッチン等のパネルやグリルのトッププレート等の製品は意匠性や清潔感等の要望から表層に一定厚さの透明層を備え、かつ、表面を鏡面仕上げにしたものが用いられている。
【０００３】
しかしながら、上記した製品の見本帳は、製品が量産されてからその一部を見本帳用として供されるため、製品が市場に流通してから後に見本帳が流通するという問題があった。
【０００４】
また、他方において、製品（現物）の凹凸感、艶、色調、量感、触感等の質感を紙基材上に印刷により表現した印刷物（見本帳）がある（たとえば、特許文献１参照）。しかし、特許文献１の印刷物は、上記したような一定厚さの透明層により表現される深み、奥行き、立体感などを表現することは極めて困難であった。
【先行技術文献】
【特許文献】
【０００５】
【特許文献１】特開２００２−６７４６８号公報
【発明の概要】
【発明が解決しようとする課題】
【０００６】
そこで本発明は、上記問題に鑑みてなされたものであって、その目的とするところは、高鮮映（鏡面仕上げ）であって、深み、奥行き、立体感などを有する製品を印刷により表現した印刷物を提供することであり、これにより製品（現物）が量産された段階においては、既に販促物として機能を発揮することができるプロモーションツールとなる印刷物を提供することである。
【課題を解決するための手段】
【０００７】
本発明者等は、上記課題を達成するために、請求項１記載の本発明は、１〜５ｍｍ厚さの透明樹脂板と、該透明樹脂板の一方の面に台紙を設け、前記透明樹脂板側から見るように構成した印刷物であって、前記透明樹脂板の他方の面に印刷面積が５０％以下の線状ないし点状の絵柄からなるシルクスクリーン印刷層を設けたことを特徴とするものである。
【０００８】
また、請求項２記載の本発明は、請求項１記載の印刷物において、前記台紙は前記透明樹脂板の前記一方の面と当接する当接面にベタ絵柄層と該ベタ絵柄層上に地紋柄層を設けたことを特徴とするものである。
【０００９】
また、請求項３記載の本発明は、請求項２記載の印刷物において、前記ベタ絵柄層がオフセット印刷からなり、前記地紋柄層がシルクスクリーン印刷からなることを特徴とするものである。
【００１０】
また、請求項４記載の本発明は、請求項３記載の印刷物において、前記地紋柄層が光沢を有することを特徴とするものである。
【００１１】
上記構成とすることにより、透明樹脂板側から見た際にシルクスクリーン印刷層と透明樹脂板を挟んで設けられたベタ絵柄層上の地紋柄層とを透明樹脂板の厚さを介して見ることになり、深み、奥行き、立体感のある意匠を表現した印刷物とすることができる。また、透明樹脂板の表面が５０％より多く表出するように構成しているために、表出部は元より表面全体を高鮮映（鏡面仕上げ）な意匠とすることができる。
【００１２】
また、請求項５記載の本発明は、請求項１〜４のいずれかに記載の印刷物において、前記台紙は前記透明樹脂板の前記一方の面と当接する当接面の光沢度が４５％以上であることを特徴とするものである。このように構成することにより、台紙上に設けるベタ絵柄層と地紋柄層との色再現を良好なものとすることができる。
【００１３】
また、請求項６記載の本発明は、請求項１記載の印刷物において、前記透明樹脂板と前記台紙との間に金属光沢を有する蒸着シートを前記透明樹脂板側から金属光沢が見えるように挿設したことを特徴とするものである。
【００１４】
また、請求項７記載の本発明は、請求項６記載の印刷物において、前記透明樹脂板と前記蒸着シートとの間に、一方の面に透明オフセット印刷層を設けた５０〜２００μｍ厚さの透明シートを前記透明オフセット印刷層が蒸着シート側に位置するように挿設したことを特徴とするものである。
【００１５】
また、請求項８記載の本発明は、請求項７記載の印刷物において、前記透明シートが８０〜１２０μｍ厚さで、且つヘイズが１０％以下であることを特徴とするものである。
【００１６】
また、請求項９記載の本発明は、請求項６〜７のいずれかに記載の印刷物において、前記蒸着シートが銀蒸着シートであることを特徴とするものである。
【００１７】
また、請求項１０記載の本発明は、請求項９記載の印刷物において、前記蒸着シートが複数枚の蒸着シートが積層されたものからなり、前記透明樹脂板側に銀蒸着シートが位置していることを特徴とするものである。
【００１８】
上記請求項６〜１０のいずれかに記載の構成とすることにより、メタリック感と深みのある意匠とすることができ、特に請求項９、さらには請求項１０の構成とすることにより、一層メタリック感と深みのある意匠とすることができる。
【００１９】
また、請求項１１記載の本発明は、請求項１〜１０のいずれかに記載の印刷物において、前記透明樹脂板のヘイズ（曇り度）が５％以下であることを特徴とするものである。このように構成することにより、なお一層高鮮映（鏡面仕上げ）であって、深み、奥行き、立体感などを有する印刷物とすることができる。
【発明の効果】
【００２０】
本発明の印刷物は、高鮮映（鏡面仕上げ）であって、深み、奥行き、立体感などを有する製品を印刷により表現することができるという優れた効果を奏するものである。また、これにより、本発明の印刷物は製品（現物）が量産された段階においては、既に販促物として機能を発揮することができるプロモーションツールとすることができるという優れた効果を奏するものである。
【図面の簡単な説明】
【００２１】
【図１】本発明にかかる印刷物の第１実施形態を図解的に示す分解斜視図である。
【図２】本発明にかかる印刷物の第２実施形態を図解的に示す分解斜視図である。
【図３】本発明にかかる印刷物の第３実施形態を図解的に示す分解斜視図である。
【発明を実施するための形態】
【００２２】
上記の本発明について、図面等を用いて以下に詳述する。
図１は本発明にかかる印刷物の第１実施形態を図解的に示す分解斜視図、図２は本発明にかかる印刷物の第２実施形態を図解的に示す分解斜視図、図３は本発明にかかる印刷物の第３実施形態を図解的に示す分解斜視図であり、図中の１，１'，１"は印刷物、２は透明樹脂板、３は台紙、４は透明シート、５は蒸着シート、２０は線、２０'は点、２１は万線状絵柄、２１'は点状絵柄、２２は地紋絵柄、３０，３０'はベタ絵柄層、３１，３１'は地紋柄層をそれぞれ示す。
【００２３】
図１は本発明にかかる印刷物の第１実施形態を図解的に示す分解斜視図であって、印刷物１は透明樹脂板２と台紙３とからなり、前記透明樹脂板２の表面に約４５度の角度で淡青色の０．８ｍｍ幅の線２０が１．０ｍｍ間隔でシルクスクリーン印刷により万線状絵柄２１となるように設けられると共に、前記台紙３の前記透明樹脂板２と当接する面にオフセット印刷により灰色のベタ絵柄層３０（図１上、破線で囲った領域）と該ベタ絵柄３０上にシルクスクリーン印刷により緑色の地紋柄層３１（図１上、点で表示した）が設けられているものである。
【００２４】
前記印刷物１は、前記透明樹脂板２の非印刷面と前記台紙３の印刷面とが当接するように重ね合わされた構成からなり、このように構成した前記印刷物１は、前記透明樹脂板２側から見ることにより、前記万線状絵柄２１が前記ベタ絵柄層３０と該ベタ絵柄層３０上に設けた地紋柄層３１に対して前記透明樹脂板３を介在させたことにより浮かび上がった意匠とすることができ、深み、奥行き、立体感を有する印刷物とすることができる。
【００２５】
図２は本発明にかかる印刷物の第２実施形態を図解的に示す分解斜視図であって、印刷物１'は前記印刷物１と同様に透明樹脂板２と台紙３とからなり、前記透明樹脂板２の表面に黒色の１ｍｍφの点２０'が２ｍｍ間隔に規則正しくシルクスクリーン印刷により点状絵柄２１'となるように設けられると共に、前記台紙３の前記透明樹脂板２と当接する面にオフセット印刷により褐色のベタ絵柄層３０'（図２上、破線で囲った領域）と該ベタ絵柄３０'上にシルクスクリーン印刷により金色の地紋柄層３１'（図２上、点で表示した）が設けられているものである。
【００２６】
このように構成した印刷物１'は、前記印刷物１と同様に前記透明樹脂板２側から見ることにより、前記点状絵柄２１'が前記ベタ絵柄層３０'と該ベタ絵柄層３０'上に設けた地紋柄層３１'に対して前記透明樹脂板３を介在させたことにより浮かび上がった意匠とすることができると共に、図示はしないが前記点状絵柄２１'が前記透明樹脂板２の前記台紙３側の面で反射されて像を作るために、尚一層深み、奥行き、立体感を有する印刷物とすることができる。
【００２７】
図３は本発明にかかる印刷物の第３実施形態を図解的に示す分解斜視図であって、印刷物１"は透明樹脂板２と透明シート４と蒸着シート５と台紙３とを順に重ね合わせた構成からなり、前記透明樹脂板２の表面にシルクスクリーン印刷により白色の地紋絵柄２２（図３上、点で表示した）を設け、前記透明シート４の前記透明樹脂板２の反対面に紫外線硬化型オフセット印刷により透明な赤紫色からなるベタ柄の透明オフセット印刷層４０（図３上、破線で囲った領域）が設けられているものである。なお、前記透明オフセット印刷層４０（図３上、破線で囲った領域）は、透けて見える程度に透明であればよいものである。また、前記蒸着シート５は金属光沢面が前記透明樹脂板２側から見えるように構成されている。
【００２８】
このように構成した前記印刷物１"は、前記透明樹脂板２側から見ることにより、前記透明シート４に設けた赤紫色がメタリック調を呈すると共に透明樹脂板２を介在した構成となるために重厚感と深みのある意匠とすることができ、また、前記透明樹脂板２の表面に設けた白色の地紋絵柄２２（図３上、点で表示した）が浮かび上がると共に、図示はしないが前記白色の地紋絵柄２２（図３上、点で表示した）が前記透明樹脂板２の前記台紙３側の面および／ないし前記透明シート４の非印刷面および／ないし蒸着シート５の非蒸着面で反射されて像を作るために、奥行きと立体感に富む印刷物とすることができる。なお、前記印刷物１"の構成において、図示はしないが透明ないし半透明の赤紫色のベタ絵柄層４０（図３上、破線で囲った領域）を形成した透明シート４は、設けなくてもよいものであり、この場合にはプレーンな金属光沢を有する意匠となる。
【００２９】
次に、本発明の印刷物１、１'、１"を構成する材料について説明する。
まず、前記透明樹脂板としては、１〜５ｍｍ厚さの透明性を有する合成樹脂製の板であれば特に限定するものでないが、高鮮映（鏡面仕上げ）を考慮するとヘイズ（曇り度）が５％以下であるものが望ましく、具体的にはアクリル板が好適である。１ｍｍより薄い場合には、深み、奥行き、立体感に欠け、５ｍｍより厚い場合には、コスト増を吸収できるだけの深み、奥行き、立体感の向上が期待できない。また、前記透明樹脂板２の表面にシルクスクリーン印刷により形成する線状ないし点状の絵柄は、前記透明樹脂板２の表面積に対して印刷面積が５０％以下になるように形成するのが好ましい。このように構成することにより、前記台紙３に設けた前記ベタ絵柄層３０ないし３０'と該ベタ絵柄層３０ないし３０'上に設けた地紋柄層３１ないし３１'、あるいは、前記透明樹脂板２を通して前記透明樹脂板２の表面にシルクスクリーン印刷により設けた線状ないし点状の絵柄（図１では万線状絵柄２１、図２では点状絵柄２１'、図３では地紋絵柄２２）の前記透明樹脂板２の前記台紙３側の面および／ないし前記透明シート４の非印刷面および／ないし蒸着シート５の非蒸着面で反射されることにより形成される像などを自然に見ることができ、深み、奥行き、立体感が向上する。
【００３０】
次に、前記透明シート４について説明する。前記透明シート４としては、ヘイズ（曇り度）が１０％以下の透明性を有するものであれば特に限定するものではないが、枚葉オフセット印刷機適性やコスト、あるいは、ヘイズ（曇り度）を考慮すると５０〜２００μｍ厚さ、好ましくは８０〜１２０μｍ厚さである。５０μｍより薄いと機械適性が劣り、２００μｍより厚いとコスト高となると共にヘイズ（曇り度）が１０％より高くなり、意匠を損なう虞が生じる。なお、ヘイズ（曇り度）はＪＩＳＫ７１０５に準拠して測定した数値である。
【００３１】
次に、前記蒸着シート５について説明する。前記蒸着シート５としては、金属光沢を有するアルミニウムや銀等を透明シートに蒸着したものであれば特に限定するものではなくが、深みのある金属光沢という点からすると銀蒸着シートが好ましく、また、銀蒸着シートとアルミ蒸着シートを積層した積層シートがさらに好ましい。前記蒸着シート５の基材としては、２５〜１００μｍ厚さの二軸延伸ポリエチレンテレフタレートフィルムが取扱い易さやコスト面から好適である。
【００３２】
次に、前記台紙３について説明する。前記台紙３としては、図１、２に示した第１実施形態、第２実施形態のように前記台紙３上に前記ベタ絵柄層３０ないし３０'と該ベタ絵柄層３０ないし３０'上に地紋柄層３１ないし３１'を設ける構成にあっては、印刷面の光沢度が４５％以上であることが望ましい。この理由としては、色調変化を少なくすることができ、ベタ絵柄層と地紋柄層との色再現が良いためである。なお、光沢度は、ＪＩＳＺ８７４１の方法（入射角６０度、受光角６０度の鏡面光沢度）に準拠したグロスメーター〔スガ試験機（株）製ハンディーグロスメーター〕で測定した数値である。なお、図３の第３実施形態においては、特に光沢度を限定する必要はないものである。また、前記台紙３の坪量としては、特に限定するものではないが、取扱いを考慮すると７０ｇ／ｍ２以上が適当である。
【００３３】
今まで、本発明の印刷物について、実施例を挙げて説明してきたが、実施例は本発明をより良く理解してもらうために例示したものであって、本発明の印刷物は、例示したものに限られるものではなく、本発明の趣旨を逸脱しない範疇のものは全て本発明に含まれるものである。また、本発明の印刷物は、図示はしないが、窓開きシートの窓部に裏面から貼着されて見本帳として供せられるものである。
【符号の説明】
【００３４】
１，１'，１"  印刷物
２            透明樹脂板
３            台紙
４            透明シート
５            蒸着シート
２０          線
２０'          点
２１          万線状絵柄
２１'          点状絵柄
２２          地紋絵柄
３０，３０'    ベタ絵柄層
３１，３１'    地紋柄層
【図１】
2010023516.tif 000003
【図２】
2010023516.tif 000004
【図３】
2010023516.tif 000005
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
１〜５ｍｍ厚さの透明樹脂板と、該透明樹脂板の一方の面に台紙を設け、前記透明樹脂板側から見るように構成した印刷物であって、前記透明樹脂板の他方の面に印刷面積が５０％以下の所定の角度と所定の幅と所定の間隔により配置された万線状絵柄ないし所定のサイズと所定の間隔により規則正しく配置された点状絵柄からなるシルクスクリーン印刷層を設けたことを特徴とする印刷物。
【請求項２】
前記台紙は前記透明樹脂板の前記一方の面と当接する当接面にベタ絵柄層と該ベタ絵柄層上に地紋柄層を設けたことを特徴とする請求項１記載の印刷物。
【請求項３】
前記ベタ絵柄層がオフセット印刷からなり、前記地紋柄層がシルクスクリーン印刷からなることを特徴とする請求項２記載の印刷物。
【請求項４】
前記地紋柄層が光沢を有することを特徴とする請求項３記載の印刷物。
【請求項５】
前記台紙は前記透明樹脂板の前記一方の面と当接する当接面の光沢度が４５％以上であることを特徴とする請求項１〜４のいずれかに記載の印刷物。
【手続補正２】
【補正対象書類名】明細書
【補正対象項目名】０００７
【補正方法】変更
【補正の内容】
【０００７】
本発明者等は、上記課題を達成するために、請求項１記載の本発明は、１〜５ｍｍ厚さの透明樹脂板と、該透明樹脂板の一方の面に台紙を設け、前記透明樹脂板側から見るように構成した印刷物であって、前記透明樹脂板の他方の面に印刷面積が５０％以下の所定の角度と所定の幅と所定の間隔により配置された万線状絵柄ないし所定のサイズと所定の間隔により規則正しく配置された点状絵柄からなるシルクスクリーン印刷層を設けたことを特徴とするものである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】